(57)【要約】【課題】端末装置を交換しても、設定変更がなく、正確にテーブルを管理することができる通信システムおよびそのシステムの端末装置識別方法を提供。【解決手段】ＩＰ端末管理システム１０は、管理装置１２の管理テーブル２４に端末ＩＤを基準に付加情報を対応付けて管理する。ＶｏＩＰ端末装置１４はアプリケーション処理部４６に記憶した端末ＩＤを起動にともないフレーム処理部４２に読み出して端末ＩＤを含む生成した要求パケットを管理装置１２に送信する。管理装置１２はフレーム処理部３２で要求パケットを分解して端末ＩＤを取得し、プロセッサ部２０で端末ＩＤと管理テーブル２４の端末ＩＤとを比較し、一致に応じて管理テーブルの付加情報をフレーム処理部３２に供給して応答パケットを生成し、ＶｏＩＰ端末装置１４に送信する。ＶｏＩＰ端末装置１４は応答パケットを分解して付加情報を取得する。【選択図】        図１
2004260635.tif 000002
【特許請求の範囲】
【請求項１】
インターネットプロトコルに基づき端末装置を管理する通信制御装置を介して前記端末装置と通信する通信システムにおいて、
前記端末装置は、該装置のそれぞれに割り当てられている固有なアドレス情報と異なる端末装置を特定する任意な端末情報を外部から入力して格納し、該端末装置の起動にともなって該端末情報が読み出される端末情報保持手段と、
該読み出した端末情報を含む要求パケットを生成し、前記通信制御装置から供給される応答パケットを分解する第１のフレーム処理手段とを含み、
前記通信制御装置は、前記端末装置から供給される要求パケットを分解し、前記端末情報に対応する付加情報を含む応答パケットを生成する第２のフレーム処理手段と、
前記端末情報を基準に前記付加情報を対応付けて格納する管理記憶手段と、
前記要求パケットの分解に応じて得られる端末情報が前記管理記憶手段に含まれるか否かを判断し、該端末情報の一致に応じて付加情報を第２のフレーム手段に送る端末情報認識手段とを含むことを特徴とする通信システム。
【請求項２】
請求項１に記載の方法において、前記付加情報は、端末装置のそれぞれに固有な情報であることを特徴とする通信システム。
【請求項３】
インターネットプロトコルに基づく端末装置と該端末装置を管理する通信制御装置で構築した通信システムにおいて、前記端末装置および前記通信制御装置のそれぞれに割り当てられている固有なアドレス情報と異なる端末装置を特定する任意な端末情報を所望する端末装置に外部から入力して、格納する第１の工程と、
該端末装置の起動にともない該端末情報を読み出す第２の工程と、
該読み出した端末情報を含む要求パケットを生成する第３の工程と、
該要求パケットを前記通信制御装置に送信する第４の工程と、
前記通信制御装置にて受信した要求パケットを分解する第５の工程と、
前記要求パケットの分解に応じて得られる端末情報と前記通信制御装置が有する端末情報とが一致するか否かを判断する第６の工程と、
該判断の結果、該端末情報の一致に応じて前記通信制御装置の端末情報に対応付けて管理している付加情報を読み出す第７の工程と、
該読み出した付加情報を含む応答パケットを生成する第８の工程と、
該応答パケットを前記端末装置に送信する第９の工程と、
該端末装置にて該応答パケットを分解し、前記付加情報を取得する第１０の工程とを含むことを特徴とする通信システムの端末装置識別方法。
【請求項４】
請求項３に記載の方法において、第１の工程は、前記通信制御装置の管理下にある端末装置に対してロケーションの区別なく、前記付加情報を設定することを特徴とする通信システムの端末装置識別方法。
【発明の詳細な説明】
【０００１】
【発明の属する技術分野】
本発明は、通信システム、とくにインターネットプロトコル（ＩＰ：  Ｉｎｔｅｒｎｅｔ  Ｐｒｏｔｏｃｏｌ）に従って端末装置と主装置間で通信する通信システム等に関するものであり、本発明はまた、通信システムの端末装置識別方法に関するものであり、たとえばＩＰ自動取得等における端末の識別に用いて好適なものである。
【０００２】
【従来の技術】
インターネットプロトコルにおいて端末装置等の識別には、ＭＡＣ（Ｍｅｄｉａ  Ａｃｃｅｓｓ  Ｃｏｎｔｒｏｌ）アドレスが使用されてきている。これは、ＭＡＣアドレスが端末装置等のハードウェアを識別する固有の識別子として定義されているからである。
【０００３】
ＶｏＩＰ（Ｖｏｉｃｅ  ｏｖｅｒ  ＩＰ）端末装置の場合も、この端末装置を管理するＩＰ−ＰＢＸ（ＩＰ−Ｐｒｉｖａｔｅ  Ｂｒａｎｃｈ  ｅＸｃｈａｎｇｅ）やゲートキーパ等の管理装置間における端末識別の管理にＶｏＩＰ端末装置のＭＡＣアドレスが使用されている。このようにＩＰで規定されている端末装置や中継装置等を含むすべての通信制御装置または管理装置には、ＭＡＣアドレスとＩＰアドレスとを対応付けた情報テーブルが備えられている（特許文献１を参照）。
【０００４】
ＶｏＩＰ端末装置は、電話番号を有している。このため、ＶｏＩＰ端末装置を管理下におく管理装置は、情報テーブルとしてＶｏＩＰ端末装置の特定に電話番号も用いて一意にＭＡＣアドレスを基準にＩＰアドレス−電話番号を対応付けた管理テーブルを備えている。特許文献１に示したような通信制御装置は、ＬＥＣ  ＩＤ／ＭＡＣアドレスフィルタリング手段１９で受信パケットの先頭のセルのペイロードに含まれる特定のアドレスの値、すなわちＬＥＣ  ＩＤ／ＭＡＣアドレスを基に端末装置等を識別している。
【０００５】
この他、ＶｏＩＰ端末装置には、ＶｏＩＰ端末装置がＬＡＮ（Ｌｏｃａｌ  Ａｒｅａ  Ｎｅｔｗｏｒｋ）に接続され、このＬＡＮを介して主装置と通信する場合に対応して自動的にＩＰアドレスを取得するプロトコルが実装されている。このプロトコルが、ＢＯＯＴＰ（ＢＯＯＴｓｔｒａｐ  Ｐｒｏｔｏｃｏｌ）、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）である。
【０００６】
【特許文献１】
特開平１１−２７３２４号公報。
【０００７】
【発明が解決しようとする課題】
ところで、ＭＡＣアドレスによって端末識別する場合、ＶｏＩＰ端末装置における管理装置には、ＭＡＣアドレスと端末装置の電話番号との対応付けにおいて、いくつかの問題があった。問題の一例としては、ＶｏＩＰ端末装置の故障等による交換が挙げられる。ＶｏＩＰ端末装置が初期の起動として管理装置からＩＰアドレスの自動取得を行うと、管理装置は新たに交換されたＶｏＩＰ端末装置のＭＡＣアドレスを取得し、このＭＡＣアドレスを基準にＩＰアドレスと電話番号とを対応付けて管理しているから、新たなＶｏＩＰ端末装置にはこのＭＡＣアドレスに対応して新たなＩＰアドレスおよび電話番号が設定される。すなわち、交換したＶｏＩＰ端末装置は、この自動取得により先に登録していた電話番号と異なる電話番号に変えられてしまう。
【０００８】
また、上述の例において管理装置がＩＰアドレスの自動取得を行わずに、交換後も交換前のＶｏＩＰ端末装置の電話番号を使用する場合、管理装置には、管理テーブルにおける管理の基準とする故障したＶｏＩＰ端末装置のＭＡＣアドレスを新たなＶｏＩＰ端末装置が有するＭＡＣアドレスに変更し、ＩＰアドレスおよび電話番号を管理することが要求される。しかしながら、管理装置が大容量の場合、この変更は面倒な作業になってしまう。
【０００９】
本発明はこのような従来技術の欠点を解消し、端末装置を交換しても、設定変更がなく、正確にテーブルを管理することができる通信システムおよびその端末装置識別方法を提供することを目的とする。
【００１０】
【課題を解決するための手段】
本発明は上述の課題を解決するために、インターネットプロトコルに基づき端末装置を管理する通信制御装置を介して端末装置と通信する通信システムにおいて、端末装置は、この装置のそれぞれに割り当てられている固有なアドレス情報と異なる端末装置を特定する任意な端末情報を外部から入力して格納し、この端末装置の起動にともなってこの端末情報が読み出される端末情報保持手段と、この読み出した端末情報を含む要求パケットを生成し、通信制御装置から供給される応答パケットを分解する第１のフレーム処理手段とを含み、通信制御装置は、端末装置から供給される要求パケットを分解し、端末情報に対応する付加情報を含む応答パケットを生成する第２のフレーム処理手段と、端末情報を基準に付加情報を対応付けて格納する管理記憶手段と、要求パケットの分解に応じて得られる端末情報が管理記憶手段に含まれるか否かを判断し、この端末情報の一致に応じて付加情報を第２のフレーム手段に送る端末情報認識手段とを含むことを特徴とする。
【００１１】
本発明の通信システムは、通信制御装置の管理記憶手段に端末情報を基準に付加情報を対応付けて管理しておき、端末装置の端末情報保持手段に記憶した端末情報を起動にともない第１のフレーム処理手段に読み出して端末情報を含む要求パケットを通信制御装置に送信し、第２のフレーム処理手段で要求パケットを分解して端末情報を取得し、端末情報認識手段でこの端末情報と管理記憶手段の端末情報とを比較して一致に応じて管理記憶手段の端末情報に対応する付加情報を第２のフレーム処理手段に供給して応答パケットを生成し、端末装置に送信し、端末装置にて応答パケットを分解して付加情報を取得して、端末装置を故障交換しても、装置に割り当てられた固有なアドレスに依存しない端末情報を用い、この端末情報を基準に管理しているので、設定変更もなく、端末装置のＩＰ自動取得も可能になる。
【００１２】
また、本発明は上述の課題を解決するために、インターネットプロトコルに基づく端末装置とこの端末装置を管理する通信制御装置で構築した通信システムにおいて、端末装置および通信制御装置のそれぞれに割り当てられている固有なアドレス情報と異なる端末装置を特定する任意な端末情報を所望する端末装置に外部から入力して、格納する第１の工程と、端末装置の起動にともないこの端末情報を読み出す第２の工程と、この読み出した端末情報を含む要求パケットを生成する第３の工程と、この要求パケットを通信制御装置に送信する第４の工程と、通信制御装置にて受信した要求パケットを分解する第５の工程と、要求パケットの分解に応じて得られる端末情報と通信制御装置が有する端末情報とが一致するか否かを判断する第６の工程と、この判断の結果、この端末情報の一致に応じて通信制御装置の端末情報に対応付けて管理している付加情報を読み出す第７の工程と、この読み出した付加情報を含む応答パケットを生成する第８の工程と、この応答パケットを端末装置に送信する第９の工程と、この端末装置にてこの応答パケットを分解し、付加情報を取得する第１０の工程とを含むことを特徴とする。
【００１３】
本発明の通信システムの端末装置識別方法は、端末情報を外部から入力して、格納しておき、端末装置の起動にともない端末情報を要求パケットに含めて生成し、通信制御装置に送信する。通信制御装置は要求パケットを分解して得た端末情報と通信制御装置が有する端末情報とが一致するか否かを判断し、端末情報の一致に応じて通信制御装置の端末情報に対応付けて管理している付加情報を読み出して付加情報を含む応答パケットを生成し、端末装置に送信する。端末装置は、応答パケットを分解し、付加情報を取得することにより、端末装置を故障交換しても、装置に割り当てられた固有なアドレスに依存しない端末情報を用い、この端末情報を基準に管理しているので、設定変更もなく、端末装置のＩＰ自動取得も可能になる。
【００１４】
【発明の実施の形態】
次に添付図面を参照して本発明による通信システムの一実施例を詳細に説明する。
【００１５】
本実施例は、本発明の通信システムをＩＰ端末管理システム１０に適用した場合である。本発明と直接関係のない部分について図示および説明を省略する。以下の説明で、信号はその現れる接続線の参照番号で指示する。
【００１６】
ＩＰ端末管理システム１０は、管理装置１２およびＶｏＩＰ端末装置１４を含む。ＩＰ端末管理システム１０は、管理装置１２とＶｏＩＰ端末装置１４との間にあるＩＰネットワーク１００に接続して通信を行う。管理装置１２とＶｏＩＰ端末装置１４の接続はＩＰネットワーク１００に限定されるものでなく、ＬＡＮでもよい。
【００１７】
管理装置１２は、中央処理部１６および端末インタフェース部１８を有し、たとえばＩＰ−ＰＢＸやゲートキーパの機能を含んでいる。中央処理部１６は、プロセッサ部２０およびバスインタフェース２２を含む。プロセッサ部２０は、たとえばＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｓｔａｎｄａｒｄｉｚａｔｉｏｎ）  Ｈ．３２３におけるアドレス変換、アドミッション制御、帯域幅制御、ゾーン制御、呼制御シグナリング、呼認証、帯域幅管理、呼管理等を実行する機能を有している。プロセッサ部２０は、上述した機能を実現するための管理テーブル２４を備えている。管理テーブル２４は、図示しないが管理装置１２の外部に設けたデータ設定用ＰＣ（Ｐｅｒｓｏｎａｌ  Ｃｏｍｐｕｔｅｒ）から供給される情報で書き換えられる。管理テーブル２４については後段でさらに説明する。バスインタフェース部２２は、管理装置１２において中央処理部１６と端末インタフェース部１８とをつなぐバス２６を介した情報のやりとり、たとえばタイミング調整、レベル調整等の処理を行うインタフェースである。
【００１８】
端末インタフェース部１８は、ＭＡＣアドレス格納部２８、ＬＡＮインタフェース部３０、フレーム処理部３２、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）処理部３４およびバスインタフェース部３６を含む。ＭＡＣアドレス格納部２８は、管理装置１２として固有のＭＡＣアドレスを格納し、ＬＡＮインタフェース部３０に供給する。ＬＡＮインタフェース部３０は、レイヤ１の物理層において設定された通信仕様に応じた処理を行う機能を有している。ＬＡＮインタフェース部３０は、ＩＰまたはＬＡＮから供給されるフレームの抽出やＩＰまたはＬＡＮへのフレームの送出を行う。
【００１９】
フレーム処理部３２は、ＬＡＮインタフェース部３０で抽出したフレームを分解する機能、ＬＡＮインタフェース部３０に送出するフレームを生成する機能、Ｂｏｏｔｐフレーム内に含まれる端末ＩＤ（ＩＤｅｎｔｉｆｉｃａｔｉｏｎ）の抽出／端末ＩＤの挿入を行う機能を有する。フレーム処理部３２は、ＴＣＰ／ＩＰ処理部３４およびバスインタフェース部３６に接続されている。ＴＣＰ／ＩＰ処理部３４は、たとえばＶｏＩＰ端末装置１４との通信リンク制御するＴＣＰ／ＩＰプロトコルを実装して確実にデータ転送を行う機能を有している。バスインタフェース部３６は、前述したバスインタフェース部２２と同じ機能を有し、バス２６に接続されている。
【００２０】
ＶｏＩＰ端末装置１４は、ＭＡＣアドレス格納部３８、ＬＡＮインタフェース部４０、フレーム処理部４２、ＴＣＰ／ＩＰ処理部４４およびアプリケーション処理部４６を有している。ＭＡＣアドレス格納部３８は、ＶｏＩＰ端末装置１４に対して固有に割り当てられたアドレスを記憶するメモリである。ＬＡＮインタフェース部４０、フレーム処理部４２およびＴＣＰ／ＩＰ処理部４４は、前述したＬＡＮインタフェース部３０、フレーム処理部３２、ＴＣＰ／ＩＰ処理部３４と同じ機能を有しているから、説明を省略する。これらの内、フレーム処理部３２は、ＴＣＰ／ＩＰ処理部４４およびアプリケーション処理部４６に接続されている。
【００２１】
アプリケーション処理部４６は、図示しないが、ＶｏＩＰ端末装置１４のアプリケーションを動作させるプロセッサ、動作プログラムを格納するＲＯＭ（Ｒｅａｄ  Ｏｎｌｙ  Ｍｅｍｏｒｙ）および端末ＩＤを記憶するレジスタを含む。アプリケーション処理部４６には、図示しないデータ設定用インタフェースが接続されている。このデータ設定用インタフェースは、ＶｏＩＰ端末装置１４に端末ＩＤ等の各種設定を入力するマンマシンインタフェースで、たとえばＰＣ、キーボード、タッチパネルセンサ等がある。
【００２２】
なお、本実施例のＩＰ端末管理システム１０は、図１にＶｏＩＰ端末装置１４を一つだけ設けた構成を示したが、この構成に限定されるものでなく、複数台をＩＰネットワーク１００に接続し、これら複数台のＶｏＩＰ端末装置を管理装置１２の管理下におき、管理テーブル２４に記憶されている端末ＩＤを基準に管理されることは言うまでもない。
【００２３】
次に管理装置１２が管理する管理テーブル２４について図２を参照しながら説明する。図２（ａ）の管理テーブルは、これまで使用してきたものである。この管理テーブルは、基準となる識別子としてＭＡＣアドレスを使用し、ＭＡＣアドレスに対して管理する内容を対応させている。管理する内容はＩＰアドレスおよび電話番号である。本実施例の管理テーブルを図２（ｂ）に示す。管理テーブルは、基準となる識別子に端末識別子（端末ＩＤ）を使用する点が図２（ａ）の管理テーブルと異なっている。端末ＩＤは、ＭＡＣアドレスでなく、任意に設定し端末装置が識別できるならば、何でもよい。
【００２４】
また、ＶｏＩＰ端末装置１４は、アプリケーション処理部４６に端末ＩＤ、ＩＰアドレスおよび電話番号のデータを格納する。
【００２５】
次にＩＰ端末管理システム１０におけるＩＰアドレス自動取得シーケンスについて図３を参照しながら説明する。このシーケンスではＬＡＮ接続の場合について説明する。時刻Ｔ１０にてＶｏＩＰ端末装置１４に対する端末ＩＤをアプリケーション処理部４６に設定する。端末ＩＤは、ＶｏＩＰ端末装置１４に固有に発行されるユニークな識別子である。
【００２６】
次に、ＶｏＩＰ端末装置１４は、時刻Ｔ１２でＬＡＮに接続する。ＶｏＩＰ端末装置１４は、ＬＡＮ接続の後、時刻Ｔ１４にＢＯＯＴＰ要求（ＢＯＯＴＰ  ｒｅｑｕｅｓｔ）パケットを管理装置１２に送信する。ＢＯＯＴＰ要求パケットのベンダ情報は、ＲＦＣ（Ｒｅｑｕｅｓｔ  Ｆｏｒ  Ｃｏｍｍｅｎｔｓ）１０８４で情報の拡張について規定されている。ベンダ情報は、図４に示すように、最初の４オクテット「９９」、「１３０」、「８３」および「９９」は、マジックキーまたはマジックナンバである。
【００２７】
次の領域はタグフィールドである。タグフィールドには、たとえば「１」，「１３０」，「１３１」，「１３２」，「１３３」，「１３５」を拡張して設定する。「１」はサブネットマスク、タグ「１２８−２５４」は内容未定義の予備フィールドである。本実施例においてたとえば、「１３０」はＢＯＯＴＰ識別、「１３１」はＩＰＤＬＣ  ＶＬＡＮ（ＩＰ  Ｄａｔａ  Ｌｉｎｋ  Ｃｏｎｎｅｃｔｉｏｎ  Ｖｉｒｔｕａｌ  ＬＡＮ）情報、「１３２」はＢＯＯＴＰ要求端末のバージョン番号（ＩＰＬ部のプログラムバージョン）、「１３３」は管理装置１２の識別子（１−２５５）、「１３５」は管理装置１２のバージョン情報のフィールドとして定義している。管理装置の識別子には、未使用の値を設定する。タグフィールドの直後には、このタグフィールドのオクテット長の情報が設定される。また、ｐａｄは、０を表している。
【００２８】
この内、「１３１」はＶＬＡＮ  ＩＤを１オクテット長とクラスを４オクテットとする５オクテット長の設定で情報を表すようにしている。ＶＬＡＮ  ＩＤはＩＥＥＥ８０２．３ｑにおけるフレーム上の１２ビットフィールドの下位８ビットにマッピングし、０および本情報がない場合をタグなしとする。また、クラスＡ〜Ｄは、それぞれ、すべてのマルチキャストパケットのプライオリティ、通常音声パケットのプライオリティ、オーダイベントパケットのプライオリティおよび一般ＰＣパケットのプライオリティを表す。
【００２９】
したがって、図４のＢＯＯＴＰ要求パケットは、マジックキーの後に、ＢＯＯＴＰ識別が１５オクテットにわたる情報、ＢＯＯＴＰ要求端末バージョンを４オクテット、および管理装置１２の識別子を４オクテットで表すベンダ情報が管理装置１２に供給されることになる。
【００３０】
管理装置１２は、ＢＯＯＴＰ要求パケットを受信し、このパケットを分解し、端末ＩＤを中央処理部１６に送る。中央処理部１６は、プロセッサ部２０内の管理テーブルの端末ＩＤと供給された端末ＩＤとを比較し、端末ＩＤが一致した場合、管理装置１２の配下にあるＶｏＩＰ端末装置１４からのＢＯＯＴＰ要求と判断する。端末ＩＤが不一致の場合、配下にないと判断する。
【００３１】
管理装置１２は、時刻Ｔ１８にて配下からの要求に応えて記憶しているＩＰアドレスを参照し、付加情報としてＩＰアドレスを読み出す。時刻Ｔ１８からＴ２０までの間にＢＯＯＴＰ応答（ＢＯＯＴＰ  ｒｅｐｌｙ）パケットを生成する。ＢＯＯＴＰ応答パケットを図５に示す。図５のベンダ情報は、図４の場合と同様にマジックキーの後に、ＢＯＯＴＰ識別を６オクテット長、サブネットマスクを４オクテット長、ＩＰＤＬＣ  ＶＬＡＮ情報を５オクテット長設ける。そして、タグフィールド３でゲートウェイフィールドを規定し４オクテット長にしてデフォルトゲートウェイを設定する。
【００３２】
最後に、管理装置１２のバージョン情報を２オクテット長設定してパケットを終える。管理装置１２は、時刻Ｔ２０に読み出したＩＰアドレスを組み込んだＢＯＯＴＰ応答パケットをＶｏＩＰ端末装置１４に送信する。
【００３３】
ＶｏＩＰ端末装置１４は、時刻Ｔ２２にてＢＯＯＴＰ応答パケットを受信し、パケットを分解してＩＰアドレスを抽出する。ＶｏＩＰ端末装置１４は、アプリケーション処理部４６にこのＩＰアドレスを自分のＩＰアドレスとして設定する。この後、ＩＰ端末管理システム１０は、ＶｏＩＰ端末装置１４と管理装置１２との間で呼制御を行うためのリンク設定が行われる。
【００３４】
このような初期設定後における通常の端末装置間の通信には、ＭＡＣアドレスが使用されることは言うまでもない。
【００３５】
なお、本実施例の管理テーブル２４は、端末ＩＤと対応付けて管理する内容（情報）を電話番号として説明したが、電話番号に限定されるものでなく、端末毎の付加情報と対応付けてもよい。端末ＩＤと付加情報とを対応付けて管理テーブルを設定すると、管理装置１２の管理下にあるどの端末装置からでも管理テーブルに設定された情報を取り出すことができる。
【００３６】
以上のように構成して、ＭＡＣアドレスと異なり、任意にあらかじめ設定していた端末ＩＤをＶｏＩＰ端末装置１４から管理装置１２に送り、管理装置１２にてＶｏＩＰ端末装置１４が管理下にあるか否かを調べる。管理装置１２は、管理下にある場合にＩＰアドレスをＶｏＩＰ端末装置１４に供給してＩＰアドレスを設定する。ＩＰ端末管理システム１０は、管理下にあるＶｏＩＰ端末装置１４が故障等により交換しても、ＩＰアドレス自動取得することができる。このとき、管理テーブル２４が管理する内容、すなわちＩＰアドレスと電話番号との対応関係も維持されることから、この端末交換にともなう電話番号の自動変更が生じない。また、ＩＰアドレス自動取得により管理テーブルは変更されない。
【００３７】
複数のＶｏＩＰ端末装置を備え、これらＶｏＩＰ端末装置を管理装置１２の管理下にするとき、異なるロケーションに配設したＶｏＩＰ端末装置に対して端末ＩＤを書き換えると、書き換えられたＶｏＩＰ端末装置の電話番号を端末ＩＤに対応した電話番号に変更することができる。さらに、端末ＩＤを知らないユーザは、管理装置１２と通信できないから、管理テーブル２４を変更することができない。これは、ＩＰ端末管理システム１０における簡易的なセキュリティ機能として使用することができる。
【００３８】
【発明の効果】
このように本発明の通信システムによれば、端末装置を故障交換しても装置に割り当てられた固有なアドレスに依存しない情報を用い、この端末情報を基準に管理することから、設定変更もなく、交換した端末装置に対するＩＰ自動取得も可能になるので、管理しやすい通信システムを提供することができ、簡易的なセキュリティ機能も持たせることができる。
【００３９】
また、本発明の通信システムの端末装置識別方法によれば、端末装置を故障交換しても、装置に割り当てられた固有なアドレスに依存しない端末情報を用い、この端末情報を基準に管理しながら、要求パケットに端末情報を組み込み、判断結果に応じて付加情報を応答パケットに組み込んで端末装置に供給することにより、通信制御装置における設定変更もなく、端末装置のＩＰ自動取得も可能になる。この方法により、通信システムに管理しやすく、簡易的なセキュリティ機能も持たせることができる。
【図面の簡単な説明】
【図１】本発明の通信システムを適用したＩＰ端末管理システムにおける概略的な構成を示すブロック図である。
【図２】図１の管理装置に含まれる管理テーブルにおける基準に識別子と管理内容との関係を説明する図である。
【図３】図１のＩＰ端末管理システムにおけるＩＰアドレス自動取得のシーケンスチャートである。
【図４】図３のＩＰアドレス自動取得にて使用するＢＯＯＴＰ要求パケットが設定するベンダ情報の一例を示す図である。
【図５】図３のＩＰアドレス自動取得にて使用するＢＯＯＴＰ応答パケットが設定するベンダ情報の一例を示す図である。
【符号の説明】
１０  ＩＰ端末管理システム
１２  管理装置
１４  ＶｏＩＰ端末装置
１６  中央処理部
１８  端末インタフェース部
２０  プロセッサ部
２４  管理テーブル
２８，  ３８  ＭＡＣアドレス格納部
４６  アプリケーション処理部
【図１】
2004260635.tif 000003
【図２】
2004260635.tif 000004
【図３】
2004260635.tif 000005
【図４】
2004260635.tif 000006
【図５】
2004260635.tif 000007